(57)【要約】      （修正有）【課題】脚と衝立て群の分解により、保管スペースの節減、輸送効率の大幅向上、衝立てパネルの損傷防止が図れ、損傷時衝立てパネル毎の取替えが出来、衝立て同士の並びが固定し、ズレなく整然と、しかも迅速に設営できる衝立を提供する。【解決手段】間仕切り衝立ての脚の上部部分を衝立て面に固着し、設置状態で衝立て面から直角方向に張り出す下部部分を、ネジ類を使わず簡便に着脱できる構造であって、上部部分の一部から突出するピン１３が下部部分に彫られた縦横の溝１４、１５を通る際の位置関係により、衝立面と脚の着脱及び回り止めが可能な機能を有する。また、隣接する衝立間の各コーナーに着設する連結金具２に、隣接衝立間の回転機構と、片方から他方へスライドする回転止め機構を具備する。【選択図】図１
0003214529.tif 000002
【実用新案登録請求の範囲】
【請求項１】
間仕切り衝立ての脚の取付けに関し、脚の上部部分を衝立て面に固着し、設置状態で衝立て面から直角方向に張り出す下部部分を、ネジ類を使わず簡便に着脱できる構造であって、上部部分の一部から突出するピンが下部部分に彫られた縦横の溝を通る際の位置関係により、衝立面と脚の着脱及び周り止めが可能な機能を有することを特徴とする衝立。
【請求項２】
複数枚を１ユニットとして連結する間仕切り衝立であって、隣接する衝立間の各コーナーに着設する接続用金具が、連結・展開・整列の各機能を有し、脚の動きと取付け位置の関係に於いて屏風様に折り畳める上、ユニットの編成変えや、取替えの容易な事を特徴とする衝立。
【考案の詳細な説明】
【技術分野】
【０００１】  本考案は配列自在化と運搬・保管の便を図る着脱自在な接続構造を有する間仕切り衝立の構造に関する。
【背景技術】
【０００２】本考案が目標とする主要な対象は会館やイベント会場で適宜配置される衝立である。衝立は自立する為にクロス方向の脚を備え、適度に並べて置くか、隣同士を何らかの方法で連結して使用されるのが一般的である。
【考案の概要】
【考案が解決しようとする課題】
【０００３】前述の脚は衝立て前後に出っ張り保管スペースを取るし、運搬時は特に障害になる。【０００４】  隣同士の連結機構は蝶番形式で開くのも有るが、押すと動くし、固定するにも手間が掛かる。また連結ユニット中の１枚が損傷した場合、取替えが利かないのが一般的である。
【課題を解決するための手段】
【０００５】  ねじ締め等でなくワンタッチで着脱できる脚の着脱機構を提供する。【０００６】  ねじ締めではあるが、個々の衝立の簡単な着脱機構を提供する。【０００７】  個々の衝立を直列或いはコーナーで直角に保つ為のスライドまたは差込式の簡便な固定装置を提供する。
【考案の効果】
【０００８】  脚と衝立て群の分解により、保管スペースの節減、輸送効率の大幅向上、衝立てパネルの損傷防止が図れる。【０００９】  損傷時衝立てパネル毎の取替えが出来る。【００１０】  衝立て同士の並びが固定し、ズレなく整然と、しかも迅速に設営できる。
【図面の簡単な説明】
【００１１】
【図１】  考案衝立３連構成図（ａ）、連結個所における接続金具の平面・側面・正面図（ｂ−１）、同（ｂ−１）上に被せる直線配列時のズレ止めカバー（ｂ−２）と、コーナー配置時の直角キープ用カバー（ｂ−３）、脚の平面・側面図（ｃ）、脚の下部中央に溶接された着脱機構の平面・側面各断面図と平面図（ｄ）。
【考案を実施するための形態】
【００１２】  以下、本考案の実施の形態を図１に基づいて説明する。
【００１３】  図（ａ）は衝立１を３枚連結した場合の模式図であるが、１枚単独から５枚連結までユニット化出来る。
【００１４】  図（ｂ−１）２は各衝立１の四隅に着設される接続金具であって、蝶番の役割を果たす連結板３、とその回転軸となる鋲４、後述６のスライド軸となる長鋲５で構成されている。
【００１５】  図（ｂ−２）６は前述２の上に被せる直線配列時のズレ止めカバーであり、上面の溝に挿した長鋲５で２と接続され、隣接する衝立て側の対面する２方向にスライドする構造になっており、隣接衝立間を直線上に保つ役割を担う。
【００１６】  図（ｂ−３）７は衝立１をＬ字形に配置するコーナー部において、隣接する接続金具２の上から被せるカバーであり、直角をキープする役割を担う。
【００１７】  図（ｃ）は衝立の側面方向から見た脚の拡大図で、上部取付け部品９が衝立て面を挟む形でネジで固着され、９の下面には後述（ｄ）１２の鋼管が溶接され、その下端近傍に１箇所ピン１３が突出す形で溶接されている。
【００１８】  図（ｃ）中の８鉄板は側面図の如く端曲げされ、中央に前述の１２、１３が通る孔が明き、その下面には後述（ｄ）１１のボスが溶接され、また、その両側に溶接されたナットにねじ込む形で自在キャスター１０が着設されている。
【００１９】  次に（ｃ）脚の動きについて説明する。
脚は１の衝立て面に対し直角方向に固着されるが、２個の自在キャスター１０により、衝立て自体は自在方向に移動できる。従って、例えば図（ａ）の如き３面セットの場合、中央衝立の表裏に左右の衝立を夫々折り付けることが出来る。なお、左右衝立は１つ脚で、脚の取付け位置もずらして、夫々の脚が干渉しない様になっている。
【００２０】  次に（ｃ）脚の着脱機構の機能を図（ｄ）に基づいて説明する。
ボス１１には、円周方向の横溝１４と、上端から１４までの縦溝１５と、１４から下端に抜ける縦溝１６と、が夫々彫られている。
【００２１】  １衝立に固着された脚上部の９、その下に溶接された１２、１３は不可分一体であり、８、１０、１１は別の不可分一体品である。着脱はこの上下両者間で行われる。
【００２２】  前述上下の接続は、１２の外径が１１の内径に嵌ると同時に、１３ピンの先が１５の縦溝を下降、１４横溝に達した後、１２、１３が時計回りに半回転し、１３ピンが１７のストッパーピンに当り、１６の縦溝を下降する事により完結する。この状態で、１３は１４横溝と１１ボス下端の中間に位置し、回転せず、全体を持上げても脱落しない構造になっている。
【００２３】  解体時は逆の動きで、１３が上部縦溝下の１７に当って上昇することにより、上下が分離する構造である。
【符号の説明】
【００２４】  １  衝立
２  接続金具
３  連結板
６  ズレ止めカバー
７  直角キープ用カバー
８  脚の鉄板
９  脚の上部取付部品
１０  自在キャスター
１１  脚着脱機構中のボス
１２  脚着脱機構中の挿入パイプ
１３  脚着脱機構中のピン
【図１】
0003214529.tif 000003
【手続補正書】
【提出日】平成29年10月27日(2017.10.27)
【手続補正１】
【補正対象書類名】実用新案登録請求の範囲
【補正対象項目名】全文
【補正方法】変更
【補正の内容】
【実用新案登録請求の範囲】
【請求項１】
間仕切り衝立ての脚の取付けに関し、脚の上部部分を衝立て面に固着し、設置状態で衝立て面から直角方向に張り出す下部部分を、ネジ類を使わず簡便に着脱できる構造であって、上部部分の一部から突出するピンが下部部分に彫られた縦横の溝を通る際の位置関係により、衝立面と脚の着脱及び回り止めが可能な機能を有することを特徴とする衝立。
【請求項２】
複数枚を１ユニットとして連結する間仕切り衝立であって、隣接する衝立間の各コーナーに着設する連結金具に、隣接衝立間の回転機構と、片方から他方へスライドする回転止め機構を具備し、展開・整列が出来、更に請求項１記載の脚を具備し、その脚の動きと取付け位置の関係に於いて相互が干渉せず、自在走行かつ屏風様に折り畳めることを特徴とする衝立。